(57)【要約】【課題】本発明の目的は、記録再生装置から取り外し可能な記録媒体に記録されているデータの一覧表を取得するデータ取得装置を提供することである。【解決手段】記録媒体（２０７）毎のコンテンツ一覧表データを記憶している記憶手段（２１２）と、前記記録媒体と関連付けられた識別部（２０８）を介して、前記記録媒体の識別情報を読み取る読取手段（２０５）と、前記記憶手段から、前記識別情報に対応した記録媒体のコンテンツ一覧表データを取得する取得手段（２１１）とを備えるデータ取得装置。【選択図】　　　図４
2004030097.tif 000002
【特許請求の範囲】
【請求項１】
記録媒体毎のコンテンツ一覧表データを記憶している記憶手段と、
前記記録媒体と関連付けられた識別部を介して、前記記録媒体の識別情報を読み取る読取手段と、
前記記憶手段から、前記識別情報に対応した記録媒体のコンテンツ一覧表データを取得する取得手段とを備えるデータ取得装置。
【請求項２】
記録媒体毎のコンテンツ一覧表データを記憶している記憶手段と、
前記記録媒体と関連付けられた識別部を介して、前記記録媒体の識別情報を読み取る読取手段と、
前記識別情報から、対応する記録媒体のコンテンツ一覧表データを表示しても良いか判断する判断手段と、
表示しても良いと判断した場合にのみ、前記対応する記録媒体のコンテンツ一覧表データを取得する取得手段とを備えるデータ取得装置。
【請求項３】
表示部をさらに備え、
前記取得した記録媒体のコンテンツ一覧表データを前記表示部へ表示させることを特徴とする請求項１又は２記載のデータ取得装置。
【請求項４】
前記取得した記録媒体のコンテンツ一覧表データを外部の表示部へ表示させることを特徴とする請求項１又は２記載のデータ取得装置。
【請求項５】
前記読取手段がリモコン部であることを特徴とする請求項１又は２記載のデータ取得装置。
【発明の詳細な説明】
【０００１】
【発明の属する技術分野】
本発明は、記録媒体に記録されているデータの一覧表を取得するデータ取得装置に関し、特に、記録装置から取り外し可能な記録媒体（光ディスクなど）に記録されているコンテンツデータの一覧表データを取得するデータ取得装置に関する。
【０００２】
【従来の技術】
従来、記録媒体に記録されているデータの一覧表を表示する方法として、特開平１１−２３１７８２号公報に記載されているように記録媒体やケースに非接触式ＩＣを貼付する方式があり、記録媒体の内容を読み出して確認することなく、記録媒体のデータ一覧表を確認することができた。
【０００３】
また、記録再生装置に記憶装置を設け、この記憶装置に複数の記録媒体毎のデータ一覧表を記録しておいて、記録媒体毎にデータ一覧表を表示する方式もある。
【０００４】
【発明が解決しようとする課題】
しかし、上述した記録再生装置に記憶装置を設けた場合、記録内容がどの記録媒体のものであるかは、ユーザが記録媒体に貼り付けたラベル名などを利用して判断しなければならない。一方、非接触式ＩＣ自体にデータの一覧表を記憶させる場合は、所望の記録媒体のデータ一覧表を表示することは可能だが、記録媒体の記録容量が増加すると、データ一覧表自体のデータ量も増加し、データ一覧表を記憶するための非接触式ＩＣの記憶容量も増大する。この非接触式ＩＣは記憶容量の多いものもあるが、高価であり、記録媒体毎に貼り付けていたのでは、非接触式ＩＣのコストが記録媒体のコストに比較して無視できない程度に高くなる。また、コスト増が無視できる程度に記憶容量の小さい非接触式ＩＣを用いると、表示されるデータ一覧表が制限を受ける。
【０００５】
本発明の目的は、上記事情を考慮して、記録再生装置から取り外し可能な記録媒体に記録されているデータの一覧表を取得するデータ取得装置を提供することである。
【０００６】
【課題を解決するための手段】
第１の発明は、記録媒体毎のコンテンツ一覧表データを記憶している記憶手段と、前記記録媒体と関連付けられた識別部を介して、前記記録媒体の識別情報を読み取る読取手段と、前記記憶手段から、前記識別情報に対応した記録媒体のコンテンツ一覧表データを取得する取得手段とを備えるデータ取得装置である。
【０００７】
第２の発明は、記録媒体毎のコンテンツ一覧表データを記憶している記憶手段と、前記記録媒体と関連付けられた識別部を介して、前記記録媒体の識別情報を読み取る読取手段と、前記識別情報から、対応する記録媒体のコンテンツ一覧表データを表示しても良いか判断する判断手段と、表示しても良いと判断した場合にのみ、前記対応する記録媒体のコンテンツ一覧表データを取得する取得手段とを備えるデータ取得装置である。
【０００８】
第３の発明は、表示部をさらに備え、前記取得した記録媒体のコンテンツ一覧表データを前記表示部へ表示させることを特徴とする第１又は第２の発明記載のデータ取得装置である。
【０００９】
第４の発明は、前記取得した記録媒体のコンテンツ一覧表データを外部の表示部へ表示させることを特徴とする第１又は第２の発明記載のデータ取得装置である。
第５の発明は、前記読取手段がリモコン部であることを特徴とする第１又は第２の発明記載のデータ取得装置である。
【００１０】
【発明の実施の形態】
以下、本発明の実施の形態について図面を参照しながら説明する。
（一般的な非接触ＩＣシステム）
まず、一般的な非接触ＩＣシステムについて説明する。図１は、一般的な非接触ＩＣシステムの概略構成図である。非接触式ＩＣ（Ｉｎｔｅｇｒａｔｅｄ　Ｃｉｒｃｕｉｔ）システムは、演算を行うＣＰＵ（Ｃｅｎｔｒａｌ　Ｐｒｏｃｅｓｓｉｎｇ　Ｕｎｉｔ）１０１に接続される無線処理装置（リーダ／ライタ部）１０２のアンテナ部１０３の読取可能エリア１０４内の非接触ＩＣモジュール１０５との間で無線通信を行うものである。ＣＰＵ１０１は、図示しない操作部、表示部と接続されている。
【００１１】
図２は、リーダ／ライタ部１０２の概略構成図である。リーダ／ライタ部全体を制御する制御回路１１１と、制御プログラム及び各種情報を記憶するメモリ１１２と、送信回路１１３と、受信回路１１４とを備える。
【００１２】
制御回路１１１は、ＣＰＵ１０１に接続され、データのやり取りが行われるものであり、例えばマルチリードコマンドの受信に対して、マルチリードレスポンスの送信を行うようになっている。送信回路１１３は、アンテナ部１０３に接続され、制御回路１１１からの非接触式ＩＣモジュール１０５に対する送信データをアンテナ部１０３から無線送信するものである。受信回路１１４も、アンテナ部１０３に接続され、アンテナ部１０３にて受信した非接触式ＩＣモジュール１０５からの受信データを制御回路１１１へ出力するものである。
【００１３】
図３は、非接触式ＩＣモジュール１０５の概略構成図である。非接触式ＩＣモジュール１０５は、モジュール本体１２１とアンテナ部１２２を備える。本体１２１内には、全体を制御する制御回路１２３と、制御プログラム、乱数、ＩＤ番号（識別情報）等の各種情報を記憶するメモリ１２４と、変復調回路１２５と、電源発生回路１２６とを備える。
【００１４】
変復調回路１２５は、アンテナ部１２２に接続され、アンテナ部１２２にて受信したリーダ／ライタ部１０２からの受信データを復調して、制御回路１２３及び電源発生回路１２６へ出力したり、制御回路１２３からのリーダ／ライタ部１０２に対する送信データをアンテナ部１２２を用いて送信するものである。
【００１５】
電源発生回路１２６は、変復調回路１２５からの受信データ（電波）に基づいて電源電圧を生成し、制御回路１２３、変復調回路１２５に供給するものである。
このような非接触式ＩＣシステムを用いることにより、非接触式ＩＣモジュール１０５を貼付した記録媒体を、リーダ／ライタ部１０２を具備した記録再生装置に近づけることにより、ＣＰＵ１０１は非接触ＩＣモジュール１０５からＩＤ番号等の情報を受け取ることが可能である。
【００１６】
（第１の実施形態）
図４は、本発明の第１の実施形態に係る記録再生装置の概略図である。記録再生装置２０１は、記録媒体２０７（例えば光ディスク、ＤＶＤ（Ｄｉｇｉｔａｌ　Ｖｅｒｓａｔｉｌｅ　Ｄｉｓｋ）など）に貼り付けられ、記録媒体２０７のＩＤ番号情報２５１を記憶している非接触ＩＣモジュール（識別部）２０８に、アンテナ部２０９を介して、データの読み書き込みを行うリーダ／ライタ部２０５と、記録媒体２０７に記録されているコンテンツデータ一覧を記録媒体２０７のＩＤ番号情報２５１毎に記憶している記憶装置２１２（例えばハードディスク）と、リーダ／ライタ部２０５から記録媒体２０７のＩＤ番号情報２５１を受け取り、受け取ったＩＤ番号情報２５１に対応した記録媒体固有詳細情報２５３（例えば記録媒体２０７に記録されているコンテンツデータの一覧）を検索する記憶装置制御回路２１１と、検索したコンテンツデータの一覧を表示部２１１（例えばテレビ、又は記録再生装置自体の液晶表示部）に表示させる表示制御回路２０６とを備えている。
【００１７】
図５は、第１の実施形態に係る記録再生装置のフローチャートである。リーダ／ライタ部２０５は、非接触ＩＣモジュール２０８がアンテナ部２０９の読み取り可能エリア２５２内まで近づけられたとき、非接触ＩＣモジュール２０８と通信を行い（Ｓ１１０のＹｅｓ）、非接触式ＩＣモジュール２０８のＩＤ番号情報２５１を記憶装置制御回路２１１に伝える（Ｓ１２０）。記録装置制御回路２１１では、ＩＤ番号情報２５１から該当する記録媒体固有詳細情報２５３を記憶装置２１２から検索し（Ｓ１３０）、表示制御回路２０６に送られる。表示制御回路２０６は記録媒体固有詳細情報２５３を表示部２１０に表示させる（Ｓ１４０）。記録媒体固有詳細情報２５３の表示例として、図６にコンテンツの一覧表示を挙げる。
【００１８】
この一覧表示という一連の流れは、例えば、スイッチ２０４を操作することで選択回路２０２にて記録媒体固有詳細情報表示命令が選択され、選択情報２５０が生成され、この選択情報２５０が記憶装置制御回路２１１及びリーダ／ライタ部２０５に届くことによって実行される。
【００１９】
また、記憶装置２１２に予め記録媒体固有詳細情報２５３を記憶する方法としては、例えば録画中に現在録画している記録媒体２０７のＩＤ番号情報２５１に関連付けて、現在録画しているコンテンツの名前、録画日時及び時間を記録媒体固有詳細情報２５３として記憶させる。他の方法としては、表示部２１０に表示されている記録媒体固有詳細情報をリモコンなどを使って変更してもよい。
【００２０】
また、他の録画再生装置で記録媒体２０７に録画したコンテンツを再生している最中に、記録媒体２０７のＩＤ番号情報２５１に関連付けて、この再生しているコンテンツの名前等を記録媒体固有詳細情報２５３として記憶装置２１２へ記憶させてもよい。
【００２１】
尚、リーダ／ライタ部２０５は、アンテナ部２０９を介して非接触ＩＣモジュール２０８内のＩＤ番号情報２５１を書き換えてもよい。
（第２の実施形態）
図７は、本発明の第２の実施形態に係る記録再生装置の概略図である。本実施形態は、第１の実施形態の変形例である。第１の実施形態と異なる点は、リーダ／ライタ部２０５及びアンテナ部２０９が記録再生装置２０１にあるのではなく、リモコン部２１５にある点である。すなわち、記録再生装置２０１及びリモコン部２１５には、同じ無線通信方式（例えば赤外線通信；ＩｒＤＡ（Ｉｎｆｒａｒｅｄ　Ｄａｔａ　Ａｓｓｏｃｉａｔｉｏｎ））の通信回路２１３，２１４がそれぞれ設けられている。そして、リーダ／ライタ部２０５から記憶装置制御回路２１１へＩＤ番号情報２５１を送るとき及び選択回路２０２からリーダ／ライタ部２０５へ選択情報を送るときに、通信回路２１３，２１４が使用される。他の動作は第１の実施形態と同様なので省略し、第１の実施形態の説明を参酌されたい。
【００２２】
（第３の実施形態）
本実施形態は、第１の実施形態の変形例であり、記憶装置２１２内の記録媒体固有詳細情報２５３が表示禁止になっている場合である。
図８は、第３の実施形態に係る記録再生装置のフローチャートである。リーダ／ライタ部２０５は、非接触ＩＣモジュール２０８がアンテナ部２０９の読み取り可能エリア２５２内まで近づけられたとき、非接触ＩＣモジュール２０８と通信を行い（Ｓ３１０のＹｅｓ）、非接触式ＩＣモジュール２０８のＩＤ番号情報２５１を記憶装置制御回路２１１に伝える（Ｓ３２０）。記録装置制御回路２１１では、ＩＤ番号情報２５１から該当する記録媒体固有詳細情報２５３を記憶装置２１２から検索する（Ｓ３３０）。表示が保護されている場合（例えば、記録媒体固有詳細情報２５３の中に表示を禁止する禁止フラグがある場合）には（Ｓ３４０のＹｅｓ）、コンテンツデータの一覧表は表示されずに、記録媒体固有詳細情報２５３の表示を保護するメッセージが表示制御回路２０６に送られる（Ｓ３５０）。
【００２３】
（第４の実施形態）
本実施形態は、第１の実施形態の変形例であり、記憶装置２１２内の記録媒体固有詳細情報２５３をカムフラージュして表示させる場合である。
図９は、第４の実施形態に係る記録再生装置のフローチャートである。リーダ／ライタ部２０５は、非接触ＩＣモジュール２０８がアンテナ部２０９の読み取り可能エリア２５２内まで近づけられたとき、非接触ＩＣモジュール２０８と通信を行い（Ｓ４１０のＹｅｓ）、非接触式ＩＣモジュール２０８のＩＤ番号情報２５１を記憶装置制御回路２１１に伝える（Ｓ４２０）。記録装置制御回路２１１では、ＩＤ番号情報２５１から該当する記録媒体固有詳細情報２５３を記憶装置２１２から検索する（Ｓ４３０）。表示がカムフラージュ保護されている場合（例えば、記録媒体固有詳細情報２５３の中に表示をカムフラージュするカムフラージュフラグがある場合）には（４４０のＹｅｓ）、コンテンツデータの一覧表は表示されずに、記録媒体固有詳細情報２５３に予め記述されているカムフラージュ一覧表が表示制御回路２０６に送られる（Ｓ４５０）。記録媒体固有詳細情報２５３の表示例として、図６にコンテンツの一覧表示を挙げる。このようなカムフラージュ一覧表は、表示部２１０に表示されている記録媒体固有詳細情報に実際に記録されているコンテンツ一覧表の他に、リモコンなどを使って書き加えてることによって作成できる。
【００２４】
第３及び第４の実施形態は、個人秘密情報管理の点で優れている。
上述した実施の形態は、本発明の好適な具体例であるから、技術的に好ましい種々の限定が付されているが、本発明の趣旨を逸脱しない範囲であれば、適宜組合わせ及び変更することができることはいうまでもない。例えば、非接触ＩＣモジュール２０８が貼り付けられるのは記録媒体２０７の他に、記録媒体２０７の保護ケースであってもよい。
【００２５】
また、識別部としては、非接触ＩＣモジュールの代わりに接触式ＩＣモジュールを採用するようにしてもよい。この場合、記録再生装置又はリモコン部は、接触式ＩＣモジュールに対応したリーダ／ライタ部を有していればよい。また、バーコードを用いてもよい。この場合、記録再生装置又はリモコン部は、リーダ／ライタ部の代わりに、バーコードに対応したバーコードリーダを有していればよい。
【００２６】
【発明の効果】
上述したように本発明によれば、記録再生装置から取り外し可能な記録媒体に記録されているデータの一覧表を取得するデータ取得装置を提供することである。
【図面の簡単な説明】
【図１】一般的な非接触システムの概略構成図。
【図２】リーダ／ライタ部１０２の概略構成図。
【図３】非接触式ＩＣモジュール１０５の概略構成図。
【図４】第１の実施形態に係る記録再生装置の概略構成図。
【図５】第１の実施形態に係る記録再生装置のフローチャート。
【図６】コンテンツ一覧表示の例を示す図。
【図７】第２の実施形態に係る記録再生装置の概略構成図。
【図８】第３の実施形態に係る記録再生装置のフローチャート。
【図９】第４の実施形態に係る記録再生装置のフローチャート。
【符号の説明】
１０１　ＣＰＵ
１０２　リーダ／ライタ部
１０３　アンテナ部
１０４　読取可能エリア
１０５　非接触ＩＣモジュール
１１１　制御回路
１１２　メモリ
１１３　送信回路
１１４　受信回路
１２１　モジュール本体
１２２　アンテナ部
１２３　制御回路
１２４　メモリ
１２５　変復調回路
１２６　電源発生回路
２０１　記録再生装置
２０２　選択回路
２０４　スイッチ
２０５　リーダ／ライタ部
２０６　表示制御回路
２０７　記録媒体
２０８　非接触ＩＣモジュール
２０９　アンテナ部
２１０　表示部
２１１　記憶装置制御回路
２１２　記憶装置
２１５　リモコン部
２５１　ＩＤ番号情報
２５２　読み取り可能エリア
２５３　記録媒体固有詳細情報
【図１】
2004030097.tif 000003
【図２】
2004030097.tif 000004
【図３】
2004030097.tif 000005
【図４】
2004030097.tif 000006
【図５】
2004030097.tif 000007
【図６】
2004030097.tif 000008
【図７】
2004030097.tif 000009
【図８】
2004030097.tif 000010
【図９】
2004030097.tif 000011